(57)【要約】【課題】燃料のより完全燃焼に近い燃焼を図ることができるようにする。【解決手段】筒状電磁力処理体２と、一対の永久磁石６、７とをもって構成する。筒状電磁力処理体２は、長さ方向の両端部に夫々流入口３と流出口４を設け、内部に、長さ方向に沿って電磁誘導が起き易い材料からなる所要径の細管５、５・・・を所要数取り付けてなるものである。一対の永久磁石６、７は、筒状電磁力処理体２の外周に、対向面の磁極が異極となるようにして、筒状電磁力処理体を挟んで対向するように配設している。【選択図】図１ 
2005061292.tif 000002
【特許請求の範囲】
【請求項１】
長さ方向の両端部に夫々流入口と流出口を設け、内部に、長さ方向に沿って電磁誘導が起き易い材料からなる所要径の細管を所要数取り付けた筒状電磁力処理体と、前記筒状電磁力処理体の外周に、対向面の磁極が異極となるようにして、該筒状電磁力処理体を挟んで対向するように配設した一対の永久磁石とからなる燃料改質装置。
【請求項２】
長さ方向の両端部に夫々流入口と流出口を設け、内部に小球状のトルマリンを充填した筒状遠赤外線照射処理体の流入口を筒状電磁力処理体の流出口に接続してなる請求項１記載の燃料改質装置。
【発明の詳細な説明】
【技術分野】
【０００１】
本発明は内燃機関の燃料を改質し、より完全燃焼に近い燃焼を図ることができるようになした燃料改質装置に関するものである。
【背景技術】
【０００２】
本発明者は、内燃機関の燃料を改質し、より完全燃焼に近い燃焼を図ることができるようにするにはどのようにしたらよいかという点について長年研究してきた。そしてまた、そのための装置としては小型で且つ低コストで製作することができるものでなくてはならない。
【０００３】
そしてこれ迄の研究の結果、永久磁石を用いて電磁誘導を起こし、その電磁力によって燃料の改質を図るようにすれば所期の目的を達成することができることを知見し、本発明を完成するに至ったものである。
【０００４】
そこで、本発明の基本原理について、図４乃至図８を参照しつつ簡単に説明する。
図４は真空中において２個一対の永久磁石１００、１０１を、その対向面が異極となるようにして配置し、両者の間に磁界を作って磁力線１０２を通す状態を示すものである。
【０００５】
図５は図４に示す状態において磁力線１０２の中に原子１０３が１個存在する場合の状態を示しており、原子核１０３ａの力により原子内を通過する磁力線１０２の方向が変えられることを示すものである。
【０００６】
また、図６は燃料の原子１０３、１０３・・・が充満している中を磁力線１０２が通過する場合の状態を示しており、磁力線の中にアルミ板等の電磁誘導が起き易い材料からなる板１０４を置くと、該板１０４に部分的（図中Ａ部分）に磁力線の集中が起こることを示すものである。
【０００７】
図７は図６におけるアルミ板等の板１０４の磁力線の通過状態を示すものであり、磁力線密度の高い部分Ａ１、Ａ２、Ａ３と磁力線密度の低い部分Ｂとの分布状態を示すものである。
【０００８】
そして、今燃料の原子１０３、１０３・・・が磁界内を移動すると、図８に示す如く、アルミ板等の板１０４上におけるＡ点も移動することになる。図８においてＡ点は高密度磁力線、Ｃ点は磁力線Ｂ上の任意の点であり、アルミ板等の板１０４上におけるＣ点の磁力線はＢからＡに変化する。即ち、Ｂが１、Ａが５と仮定すると、磁力線４の増加となる。
【０００９】
そして磁力束がＡ点からＣ点に移動すると、Ｃ点からＡ点に向かう電場が生じ、その電場は電磁力を生じて高密度磁力線の移動を妨げる向きに働く。そしてその磁力線は燃料を構成している各々の原子核の反発力によって集束されているため、電磁力はその原子の核に働く。その１個の電磁力は非常に小さく弱いものであるが、発生する磁力束の数はアルミ板等の板１０４に接する原子の数程多く、また連続して起きるため、その力は強まって原子核に作用するに充分な力となる。
【００１０】
また、原子中の核は微細な振動をして原子の中心に位置している。そして前記の力はその振動力を増加することになり、これによって原子中の電子の運動エネルギーは増加される。もって燃料は活性化されて、燃焼性、爆発性、伝播速度等が改善され、完全燃焼に近い燃焼を行うようになる。そしてこれにより内燃機関の燃料消費効率の上昇及び出力の増加、並びに廃ガスのクリーン化を図ることができるようになるものである。
【発明の開示】
【発明が解決しようとする課題】
【００１１】
本発明は上記の基本原理を基に、燃料のより完全燃焼に近い燃焼を図ることができ、而も小型且つ低コストで製作することができるようになした燃料改質装置を提供せんとするものである。
【課題を解決するための手段】
【００１２】
而して、本発明の要旨とするところは、長さ方向の両端部に夫々流入口と流出口を設け、内部に、長さ方向に沿って電磁誘導が起き易い材料からなる所要径の細管を所要数取り付けた筒状電磁力処理体と、前記筒状電磁力処理体の外周に、対向面の磁極が異極となるようにして、該筒状電磁力処理体を挟んで対向するように配設した一対の永久磁石とからなる燃料改質装置にある。
【００１３】
また、上記構成において、長さ方向の両端部に夫々流入口と流出口を設け、内部に小球状のトルマリンを充填した筒状遠赤外線照射処理体の流入口を筒状電磁力処理体の流出口に接続するようにしてもよい。電磁力処理された燃料は活性力が高まると共に奔放な性質を有するが、このようにしてトルマリンの発する遠赤外線の照射処理を行うことによって安定性を加えるようにすれば、より一層完全燃焼に近い燃焼を図ることができるようになるものである。
【発明の効果】
【００１４】
本発明によれば、燃料のより完全燃焼に近い燃焼を図ることができるものであり、もって内燃機関の燃料消費効率の上昇及び出力の増加、並びに廃ガスのクリーン化を図ることができるものである。また特別な電源装置も不要で、小型で且つ低コストで製作することができるものである。また燃料も熱を伴わない安全な燃料となるものである。また、発生する電磁エネルギーを燃料の原子に吸収させて改質を図るものであるから、その特性を任意に選ぶことができるものである。尚、それは磁界の強さ、燃料の速度、反応の面積によって決まるものである。
【００１５】
また、長さ方向の両端部に夫々流入口と流出口を設け、内部に小球状のトルマリンを充填した筒状遠赤外線照射処理体の流入口を筒状電磁力処理体の流出口に接続するようにした場合には、より一層完全燃焼に近い燃焼を図ることができるようになるものである。
【発明を実施するための最良の形態】
【００１６】
本発明を実施するための最良の形態は、長さ方向の両端部に夫々流入口と流出口を設け、内部に、長さ方向に沿って電磁誘導が起き易い材料からなる所要径の細管を所要数取り付けた筒状電磁力処理体と、前記筒状電磁力処理体の外周に、対向面の磁極が異極となるようにして、該筒状電磁力処理体を挟んで対向するように配設した一対の永久磁石とをもって構成することにある。
【実施例１】
【００１７】
以下、本発明の実施例について説明する。
図１は本発明の実施例の概略的説明図、図２は斜視図、図３は一部破断して示した斜視図である。
【００１８】
図中、１は燃料改質装置である。２は筒状電磁力処理体である。また、該筒状電磁力処理体２は、長さ方向の両端部に夫々流入口３と流出口４を設け、内部に、長さ方向に沿って電磁誘導が起き易い材料からなる所要径の細管５、５・・・を所要数取り付けてなるものである。
【００１９】
６、７は前記筒状電磁力処理体２の外周に、対向面の磁極６ａ、７ａが異極となるようにして、該筒状電磁力処理体２を挟んで対向するように配設した一対の永久磁石である。
【００２０】
８は筒状遠赤外線照射処理体である。また、該筒状遠赤外線照射処理体８は、長さ方向の両端部に夫々流入口９と流出口１０を設け、内部に小球状のトルマリン１１を充填してなるものである。そして、該筒状遠赤外線照射処理体８の流入口９は前記筒状電磁力処理体２の流出口４に接続させている。
【００２１】
次に、上記実施例の作用について説明する。
内燃機関の燃料（図示せず。）は、流入口３から筒状電磁力処理体２内に流入し、その内部を流れる間に、一対の永久磁石６、７と電磁誘導が起き易い材料からなる細管５、５・・・との前記説明した原理に基づく作用によって改質処理が行われるものである。そしてまた、その後筒状遠赤外線照射処理体８を流れる間にトルマリンによる遠赤外線照射処理が行われ、より一層完全燃焼に近い燃焼を図ることができるようになるものである。
【００２２】
また、上記実施例の装置を取り付けて実験した結果を次の表１に示す。
【００２３】
【表１】
2005061292.tif 000003
【図面の簡単な説明】
【００２４】
【図１】本発明の実施例の概略的説明図である。
【図２】本発明の実施例の斜視図である。
【図３】本発明の実施例の一部破断して示した斜視図である。
【図４】本発明の原理説明図である。
【図５】本発明の原理説明図である。
【図６】本発明の原理説明図である。
【図７】本発明の原理説明図である。
【図８】本発明の原理説明図である。
【符号の説明】
【００２５】
１  燃料改質装置
２  筒状電磁力処理体
３  流入口
４  流出口
５、５  細管
６、７  一対の永久磁石
８  筒状遠赤外線照射処理体
９  流入口
１０  流出口
１１  小球状のトルマリン
【図１】
2005061292.tif 000004
【図２】
2005061292.tif 000005
【図３】
2005061292.tif 000006
【図４】
2005061292.tif 000007
【図５】
2005061292.tif 000008
【図６】
2005061292.tif 000009
【図７】
2005061292.tif 000010
【図８】
2005061292.tif 000011